(57)【要約】【課題】演算処理部の負担を軽減し、測定用マイクを使用することなく、各スピーカから出力されるテスト信号に基づいて正確に遅延時間の調整を行うことを目的とする。【解決手段】複数チャンネルの信号の遅延時間を調整する遅延時間調整部と、信号を出力する出力部と、第１テスト信号と第２テスト信号を出力するテスト信号発生部と、前記テスト信号の出力を切り換えるテスト信号切換部と、前記テスト信号を特定チャンネルに出力するよう切り換える第１信号切換部と、前記テスト信号の位相を反転した前記テスト信号を測定チャンネルに出力するよう切り換える第２信号切換部と、特定チャンネルと測定チャンネルの切り替えと遅延時間を調整する操作部と、特定チャンネルの第１信号切換部からの前記テスト信号を出力させ、測定チャンネルの第２信号切換部からの前記テスト信号を出力させ、測定チャンネルの遅延時間を調整する制御を行う制御部とを備える。【選択図】      図１
2008092242.tif 000002
【特許請求の範囲】
【請求項１】
複数チャンネルの信号の遅延時間をそれぞれ調整する複数の調整器を備えた遅延時間調整部と、前記遅延時間調整部の各調整器から出力された信号を出力する複数の出力器を備えた出力部と、第１周波数の第１テスト信号を出力する第１テスト信号発振器と第１周波数より高い第２周波数の第２テスト信号を出力する第２テスト信号発振器とを備えたテスト信号発生部と、前記テスト信号発生部から出力された第１テスト信号又は第２テスト信号の出力を切り換えるテスト信号切換部と、前記テスト信号切換部から出力された第１テスト信号又は第２テスト信号を前記複数チャンネルのうちの特定チャンネルに出力するよう切り換える第１信号切換部と、前記テスト信号切換部から出力された第１テスト信号又は第２テスト信号の位相を反転させる位相反転部と、前記位相反転部から出力された第１テスト信号又は第２テスト信号を前記特定チャンネル以外のチャンネルで遅延時間の調整を行う測定チャンネルに出力するよう切り換える第２信号切換部と、前記第１テスト信号又は前記第２テスト信号を出力する前記特定チャンネルと前記測定チャンネルとの切り替えと前記遅延時間調整部の遅延時間を調整する操作部と、前記操作部の操作に基づいて前記特定チャンネルの前記第１信号切換部からの第１テスト信号又は第２テスト信号を出力させると共に前記測定チャンネルの前記第２信号切換部からの第１テスト信号又は第２テスト信号を出力させ、前記操作部の操作に基づいて前記遅延時間調整部の測定チャンネルの調整器において遅延時間を調整する制御を行う制御部とを備えるオーディオ信号出力装置。
【発明の詳細な説明】
【技術分野】
【０００１】
複数チャンネルのオーディオ信号を出力することが可能なオーディオ信号出力装置に関する。
【背景技術】
【０００２】
近年、立体的な音響環境を実現するため、複数のチャンネルのスピーカから、それぞれのチャンネルに対応したオーディオ信号を出力する技術がある。複数のチャンネルのオーディオ信号を出力する装置としては、AV(Audio Visual)アンプなどがあり、当該AVアンプは、リスニングポイントで最適な音響環境となるように各チャンネルのオーディオ信号の遅延時間を調整する機能を備えている。
【０００３】
このようなオーディオ信号の遅延時間を調整する方法が、例えば特許文献１に開示されている。特許文献１に開示されている方法では、各チャンネル毎に設置された各スピーカからテスト信号を出力し、そのテスト信号をリスニングポイントに設置されたマイクで収音し、各スピーカから収音したテスト信号の遅延時間、すなわちスピーカから出力されマイクで収音されるまでの時間の差に基づいて、リスニングポイントで同じ遅延時間となるようオーディオ信号の遅延時間を調整する。
【０００４】
【特許文献１】特開２００１−２１１４９３
【発明の開示】
【発明が解決しようとする課題】
【０００５】
前述した特許文献１に開示されている方法では、各スピーカから出力されたテスト信号を収音した結果に基づいて遅延時間を演算により求める必要があるため、複雑な演算処理が必要となり、演算処理部に負担がかかる。また、測定用マイクが必要になるため、AVアンプのコストも高くなる。
【０００６】
また、マイクによるテスト信号の収音時に例えば聴取者がマイクとスピーカとの間に位置していた場合、テスト信号が聴取者に反射するなどにより、正確に遅延時間の測定ができなくなる場合がある。一般的に、リスニングルームなどでは複数チャンネルのスピーカを部屋の隅に配置することが多い。このような配置においてテスト信号による測定を行うときには、測定の障害とならないように聴取者がリスニングルームの外に出るなど移動しなければならず、聴取者にとって煩わしい。
【０００７】
本発明は、演算処理部の負担を軽減し、測定用マイクを使用することなく、各スピーカから出力されるテスト信号に基づいて正確に遅延時間の調整を行うことができるオーディオ信号出力装置を提供することを目的とする。
【課題を解決するための手段】
【０００８】
本発明は、複数チャンネルの信号の遅延時間をそれぞれ調整する複数の調整器を備えた遅延時間調整部と、前記遅延時間調整部の各調整器から出力された信号を出力する複数の出力器を備えた出力部と、第１周波数の第１テスト信号を出力する第１テスト信号発振器と第１周波数より高い第２周波数の第２テスト信号を出力する第２テスト信号発振器とを備えたテスト信号発生部と、前記テスト信号発生部から出力された第１テスト信号又は第２テスト信号の出力を切り換えるテスト信号切換部と、前記テスト信号切換部から出力された第１テスト信号又は第２テスト信号を前記複数チャンネルのうちの特定チャンネルに出力するよう切り換える第１信号切換部と、前記テスト信号切換部から出力された第１テスト信号又は第２テスト信号の位相を反転させる位相反転部と、前記位相反転部から出力された第１テスト信号又は第２テスト信号を前記特定チャンネル以外のチャンネルで遅延時間の調整を行う測定チャンネルに出力するよう切り換える第２信号切換部と、前記第１テスト信号又は前記第２テスト信号を出力する前記特定チャンネルと前記測定チャンネルとの切り替えと前記遅延時間調整部の遅延時間を調整する操作部と、前記操作部の操作に基づいて前記特定チャンネルの前記第１信号切換部からの第１テスト信号又は第２テスト信号を出力させると共に前記測定チャンネルの前記第２信号切換部からの第１テスト信号又は第２テスト信号を出力させ、前記操作部の操作に基づいて前記遅延時間調整部の測定チャンネルの調整器において遅延時間を調整する制御を行う制御部とを備える。
【発明の効果】
【０００９】
本発明によれば、演算処理部の負担を軽減し、測定用マイクを使用することなく、各スピーカから出力されるテスト信号に基づいて正確に遅延時間の調整を行うことができる。
【発明を実施するための最良の形態】
【００１０】
図１は、本発明の一実施形態のオーディオ信号出力装置の概略構成を示す図である。
図１において、オーディオ信号出力装置は、遅延時間調整部１、出力部２、テスト信号発生部３、テスト信号切換部４、位相反転部５、第１信号切換部６、第２信号切換部７、操作部８、制御部９を備える。
【００１１】
オーディオ信号出力装置は、AVアンプなどである。当該オーディオ信号出力装置には複数のスピーカ(第１スピーカ、第２スピーカ、第３スピーカ・・・)が接続され、オーディオ信号出力装置は、外部の再生装置(図示せず)から入力したオーディオ信号を各チャンネル毎にそれぞれのスピーカに出力する。オーディオ信号出力装置に接続されている複数のスピーカ(第１スピーカ、第２スピーカ、第３スピーカ・・・)は、フロントレフトスピーカ、フロントライトスピーカ、センタースピーカなどである。本実施形態のオーディオ信号出力装置は、聴取者が指定した特定のスピーカに対し、その他のスピーカから出力されるオーディオ信号の遅延時間を聴取者が判断し、遅延時間の調整を行うことができる装置である。
【００１２】
図１において、遅延時間調整部１は、第１調整器１ａ、第２調整器１ｂ、第３調整器１ｃ・・・のように、各チャンネル毎に調整器を備える。遅延時間調整部１は、後述する制御部９の制御に基づいて、各チャンネル毎にオーディオ信号の遅延時間を各調整器により調整し、後段の出力部に信号を出力する。
【００１３】
出力部２は、第１出力器２ａ、第２出力器２ｂ、第３出力器２ｃ・・・のように、各チャンネル毎に出力器を備える。出力部２は、後述する制御部９の制御に基づいて、遅延時間調整部１から出力された信号を各出力器により増幅し、それぞれの出力器に接続されているスピーカ(第１スピーカ、第２スピーカ、第３スピーカ・・・)に信号を出力する。
【００１４】
テスト信号発生部３は、第１テスト信号発振器３ａと第２テスト信号発振器３ｂを備える。第１テスト発振器３ａは、第１周波数(例えば、５kHz)の第１テスト信号を後段のテスト信号切換部４に出力し、第２テスト信号発振器３ｂは、第１周波数より高い第２周波数(例えば、１５kHz)の第２テスト信号を後段のテスト信号切換部４に出力する。テスト信号は、例えばサイン波などである。
【００１５】
テスト信号切換部４は、後述する制御部９の制御に基づいて、テスト信号発生部３から出力された第１テスト信号及び第２テスト信号のうち、後段の位相反転部５及び第１信号切換部６及びに出力する信号の切り換えを行う。なお、テスト信号切換部４において、後述する制御部９の制御に基づいて、最初に第１テスト信号が出力され、出力するテスト信号の切り替えが行われた時、第２テスト信号を出力するよう切り換わる。
【００１６】
位相反転部５は、テスト信号切換部４から出力されたテスト信号の位相を１８０度反転し、後段の第２信号切換部7に出力する。
【００１７】
第１信号切換部６は、後述する制御部９の制御に基づいて、テスト信号切換部４から入力する第１テスト信号又は第２テスト信号の出力先を切り換える。第１信号切換部６から出力された第１テスト信号又は第２テスト信号は、後段の遅延時間調整部１に入力する。
【００１８】
第２信号切換部７は、後述する制御部９の制御に基づいて、位相反転部５から入力する第１テスト信号又は第２テスト信号の出力先を切り換える。第２信号切換部７から出力された第１テスト信号又は第２テスト信号は、後段の遅延時間調整部１に入力する。
【００１９】
操作部８は、当該オーディオ信号出力装置の動作を指示するためのボタンを備えると共に、遅延時間を調整する調整モードのオン・オフを切り換えるボタン、各チャンネルのスピーカから出力される信号の遅延時間を測定する上で基準とするチャンネル(特定チャンネル)を指定するボタン、特定チャンネル以外のチャンネルで遅延時間の調整を行うチャンネル(測定チャンネル)を指定するボタン、遅延時間を調整するボタン、特定チャンネル及び測定チャンネルから出力するテスト信号を第１テスト信号と第２テスト信号から選択するボタン等を備え、それぞれのボタンが操作された場合に、操作されたボタンに対応する指示信号を後段の制御部９に出力する。
【００２０】
制御部９は、オーディオ信号出力装置全体を総合的に制御する。制御部９は、操作部８からの指示信号により調整モードが選択された場合、調整モードに移行する。調整モードにおいて、制御部９は、操作部８からの指示信号により特定チャンネルのスピーカから第１テスト信号又は第２テスト信号が出力されるよう第１信号切換部６の設定を行うと共に、操作部８からの指示信号により測定チャンネルから第１テスト信号又は第２テスト信号が出力されるよう第２信号切換部７を切り換える制御をする。そして、制御部９は、第１テスト信号又は第２テスト信号を特定チャンネルと測定チャンネルから出力するようテスト信号発生部３及びテスト信号切換部４を制御すると共に、操作部８からの指示信号により遅延時間調整部１の測定チャンネルの調整器において遅延時間の調整を行うよう制御する。
【００２１】
また、制御部９は、操作部８からの指示信号に基づいて、第２テスト信号の出力の指示があった場合に、テスト信号切換部４を制御し、第２テスト信号を第１信号切換部６及び位相反転部５に出力するよう制御する。また、制御部９は、操作部８からの指示信号により測定チャンネルの切り換えの指示があった場合、その指示信号に基づいて測定チャンネルの切り換えを行う。
【００２２】
次に、特定チャンネルのスピーカから出力されるテスト信号と測定チャンネルのスピーカから出力されるテスト信号とについて説明する。
図２は、本実施形態における特定チャンネルのスピーカから出力されるテスト信号と測定チャンネルのスピーカから出力されるテスト信号を説明する図である。
図２(a)において、テスト信号は、第１周波数の第１テスト信号と第２周波数の第２テスト信号とからなる。特定チャンネルのスピーカから出力されるテスト信号と測定チャンネルのスピーカから出力されるテスト信号を説明する上で、第２テスト信号を例に挙げて説明する。
【００２３】
特定チャンネルのスピーカから出力される第２テスト信号は、図２(b)に示す波形である。これに対し、測定チャンネルのスピーカから出力される第２テスト信号は、位相反転部５により１８０度位相が反転した信号であるため、図２(c)に示す波形となる。特定チャンネルのスピーカから出力された第２テスト信号の位相に対し、測定チャンネルのスピーカから出力された第２テスト信号の位相が１８０度反転している場合は、図２(d)のように、互いの第２テスト信号は相殺される。すなわち、互いに位相が１８０度ずれた第２テスト信号を聴取者が聞いた場合、第２テスト信号の音圧レベルは小さくなる。
【００２４】
しかし、特定チャンネルのスピーカから出力された第２テスト信号と測定チャンネルのスピーカから出力された第２テスト信号の位相が１８０度からずれた場合、それらのテスト信号は相殺されない。すなわち、聴取者がそれらの第２テスト信号を聞いた場合、第２テスト信号の音圧レベルは低くならない。
【００２５】
テスト信号の位相は、スピーカから出力されたテスト信号が聴取者(リスニングポイント)に到達する時刻に応じて変化する。例えば、特定チャンネルのスピーカからリスニングポイントまでの距離に対し、測定チャンネルのスピーカからリスニングポイントまでの距離が近い場合、測定チャンネルのスピーカから出力された第２テスト信号の位相は、特定チャンネルのスピーカから出力された第２テスト信号の位相より進む。また、特定チャンネルのスピーカからリスニングポイントまでの距離に対し、測定チャンネルのスピーカからリスニングポイントまでの距離が遠い場合、測定チャンネルのスピーカから出力された第２テスト信号の位相は、特定チャンネルのスピーカから出力された第２テスト信号の位相より遅れる。
【００２６】
リスニングポイントにおいて最適な音響環境を実現するためには、各スピーカから出力されるオーディオ信号が同じ時刻にリスニングポイントに到達するようオーディオ信号の遅延時間を調整することが必要である。この遅延時間の調整は、遅延時間調整部１の各調整器により行うことができ、遅延時間の調整を行うことにより、第２テスト信号の位相が変化する。
【００２７】
特定チャンネルと測定チャンネルの遅延時間が同じであり、特定チャンネルのスピーカからリスニングポイントまでの距離と測定チャンネルのスピーカからリスニングポイントまでの距離が同じであれば、特定チャンネルのスピーカから出力された第２テスト信号と測定チャンネルのスピーカから出力された第２テスト信号がリスニングポイントに到達する時刻は同じになる。このため、特定チャンネルのスピーカから出力された第２テスト信号の位相に対し、測定チャンネルのスピーカから出力された第２テスト信号の位相のずれが１８０度となり、第２テスト信号は相殺される。
【００２８】
第２テスト信号が相殺されると、第２テスト信号の音圧レベルが低くなる。聴取者は、第２テスト信号の音圧レベルが低くなったことにより、特定チャンネルのスピーカと測定チャンネルのスピーカから出力された第２テスト信号がリスニングポイントに到達する時刻が同じであり、それぞれのチャンネルの遅延時間が適正であると判断することができる。
【００２９】
しかし、特定チャンネルと測定チャンネルの遅延時間が同じであり、特定チャンネルのスピーカからリスニングポイントまでの距離に対し、測定チャンネルのスピーカからリスニングポイントまでの距離が近く或いは遠くなると、特定チャンネルのスピーカと測定チャンネルのスピーカから出力された第２テスト信号がリスニングポイントに到達する時刻が異なる。そうすると、特定チャンネルのスピーカから出力された第２テスト信号の位相に対し、測定チャンネルから出力された第２テスト信号の位相が１８０度より進み又は遅れ、第２テスト信号は相殺されない。
【００３０】
第２テスト信号が相殺されない場合、第２テスト信号の音圧レベルは低くならない。聴取者は、第２テスト信号の音圧レベルが低くならないことにより、特定チャンネルのスピーカと測定チャンネルのスピーカから出力された第２テスト信号がリスニングポイントに到達する時刻が異なり、それぞれのチャンネルの遅延時間が適正でないと判断することができる。
【００３１】
このような場合、聴取者は、操作部８を操作し、遅延時間調整部１の調整器により、測定チャンネルの遅延時間を調整し、すなわち第２テスト信号が測定チャンネルのスピーカから出力されるタイミングを早くする又は遅くすることにより、測定チャンネルのスピーカから出力される第２テスト信号の位相を進ませる又は遅くする。この遅延時間の調整により、リスニングポイントにおいては、特定チャンネルのスピーカから出力された第２テスト信号がリスニングポイントに到達する時刻と測定チャンネルのスピーカから出力された第２テスト信号がリスニングポイントに到達する時刻を同じにする。
【００３２】
したがって、リスニングポイントにおいて、特定チャンネルのスピーカから出力された第２テスト信号の位相と測定チャンネルのスピーカから出力された第２テスト信号の位相が１８０度反転し、第２テスト信号は相殺される。第２テスト信号が相殺されることにより、第２テスト信号の音圧レベルが小さくなり、聴取者は、特定チャンネルのスピーカと測定チャンネルのスピーカから出力された第２テスト信号がリスニングポイントに到達する時刻が同じであると判断することができる。
【００３３】
図３は、本実施形態におけるテスト信号と音圧レベルの関係を説明する図である。
特定チャンネルのスピーカと測定チャンネルのスピーカから位相が１８０度反転した第２テスト信号が出力された場合、リスニングポイントにおいてそれぞれのスピーカからの距離がテスト信号の波長λのｎ(ｎ=0,1,2,3・・・)倍となったとき、テスト信号の音圧レベルが最小となる。
【００３４】
図３(a)において、特定チャンネルのスピーカ及び測定チャンネルのスピーカを結ぶ線との平行線上において、特定チャンネルのスピーカと当該平行線上のリスニングポイントとの距離をLaとし、測定チャンネルのスピーカと当該平行線上のリスニングポイントとの距離をLbとしたとき、リスニングポイントにおける音圧レベルが最小となる条件は、
La−Lb＝ｎ・λ
となる。
【００３５】
図３(a)及び(b)において、当該平行線上においては、前記の式に基づいて間隔P毎に音圧レベルが最小となるポイントが存在することになる。例えば、スピーカから周波数１kHzのテスト信号が出力された場合、音速を340m/sとすれば、間隔Pは３４cmとなる。そうすると、聴取者が、平行線上を移動した場合、３４cmごとに音圧レベルが最小となるポイントが存在し、どのポイントを適正なリスニングポイントとすればよいかが分からなくなる可能性がある。
【００３６】
このため、第１周波数の第１テスト信号により、おおよそのリスニングポイントの範囲を特定し、その範囲内において遅延時間を粗調整し、次に、第１周波数より高い第２周波数の第２テスト信号により、先に特定した範囲内で更に狭いリスニングポイントの範囲を特定し、その範囲において遅延時間をより精密に調整することができる。
【００３７】
図４は、本実施形態における第１テスト信号と第２テスト信号とを説明する図である。
図４(a)に示すように、第１周波数λ１においては、音圧レベルが小さくなる範囲が広く、第２周波数λ２においては、音圧レベルが小さくなる範囲が第１周波数λ１の場合より狭くなる。また、図４(b)に示すように、第１周波数λ１においては、音圧レベルの変化は緩やかであり、第２周波数λ２においては、音圧レベルの変化は急峻となる。
【００３８】
このように第１周波数の第１テスト信号と第２周波数の第２テスト信号を利用することにより、聴取者が、第１テスト信号を用いてリスニングポイントの大体の範囲を特定して遅延時間の疎調整を行い、第２テスト信号を用いてリスニングポイントの範囲を絞り込み遅延時間の精密な調整をすることができる。
【００３９】
次に本実施形態のオーディオ信号出力装置における調整モードの動作を説明する。
聴取者が操作部８を操作し、調整モードを指定すると、制御部９は、調整モードに移行する。制御部９は、最初に、当該オーディオ信号出力装置の表示部(図示せず)等にメッセージを表示し、聴取者に特定チャンネルを指定させる。聴取者が操作部８により特定チャンネルを指定すると、制御部９は、操作部８からの指示信号に基づいて、第１信号切換部６を制御し、出力部２のテスト信号が指定された特定チャンネルの出力器から出力されるよう切り換える。
【００４０】
制御部９は、次に、当該オーディオ信号出力装置の表示部(図示せず)等にメッセージを表示し、聴取者に測定チャンネルを指定させる。聴取者が操作部８により測定チャンネルを指定すると、制御部９は、操作部８からの指示信号に基づいて、第２信号切換部７を制御し、出力部２のテスト信号が指定された測定チャンネルの出力器から出力されるよう切り換える。
【００４１】
そして、制御部９は、テスト信号発生部３の第１テスト信号発振器３ａを制御すると共にテスト信号切換部４を制御し、第１テスト信号を出力させる。テスト信号切換部４から出力された第１テスト信号は、第１信号切換部６を介し、遅延時間調整部１の特定チャンネルの調整器に入力する。特定チャンネルの調整器から出力された第１テスト信号は、出力部２の特定チャンネルの出力器を介し、特定チャンネルのスピーカから出力される。
【００４２】
一方、テスト信号切換部４から出力された第１テスト信号は、位相反転部５を介し、第２信号切換部７に入力し、第２信号切換部７から遅延時間調整部１の測定チャンネルの調整器に入力する。測定チャンネルの調整器から出力された第１テスト信号は、出力部２の測定チャンネルの出力器を介し、測定チャンネルのスピーカから出力される。
【００４３】
聴取者は、特定チャンネルのスピーカから出力された第１テスト信号と、測定チャンネルのスピーカから出力された第１テスト信号を聞き、第１テスト信号の音圧レベルが最小となるよう、操作部８を用いて、遅延時間調整部１の測定チャンネルの調整器における遅延時間を調整する。
【００４４】
第１テスト信号の音圧レベルが最小になった後、聴取者は、操作部８により第２テスト信号を出力するよう操作を行う。制御部９は、操作部８からの指示信号により、テスト信発生部３とテスト信号切換部４とを制御し、第２テスト信号が第１信号切換部６と位相反転部５に出力されるよう制御する。
【００４５】
テスト信号切換部４から出力された第２テスト信号は、第１信号切換部６を介し、遅延時間調整部１の特定チャンネルの調整器に入力する。特定チャンネルの調整器から出力された第２テスト信号は、出力部２の特定チャンネルの出力器を介し、特定チャンネルのスピーカから出力される。
【００４６】
一方、テスト信号切換部４から出力された第２テスト信号は、位相反転部５を介し、第２信号切換部７に入力し、第２信号切換部７から遅延時間調整部１の測定チャンネルの調整器に入力する。測定チャンネルの調整器から出力された第２テスト信号は、出力部２の測定チャンネルの出力器を介し、測定チャンネルのスピーカから出力される。
【００４７】
聴取者は、特定チャンネルのスピーカから出力された第２テスト信号と、測定チャンネルのスピーカから出力された第２テスト信号を聞き、第２テスト信号の音圧レベルが最小となるよう、操作部８を用いて、遅延時間調整部１の測定チャンネルの調整器における遅延時間を調整する。前述したように、第２テスト信号は、第１テスト信号より周波数が高いため、特定チャンネルのスピーカから出力された第２テスト信号と測定チャンネルのスピーカから出力された第２テスト信号とが相殺され、音圧レベルが低くなる範囲が狭くなる。
【００４８】
第２テスト信号の音圧レベルが最小になった場合、聴取者は、特定チャンネルのスピーカと測定チャンネルのスピーカから出力された第２テスト信号が聴取者(リスニングポイント)に到達する時刻が同じであると判断することができる。この後、聴取者は、測定チャンネルを他のチャンネルに切り替え、順次、全てのチャンネルについて遅延時間の調整を行う。
【００４９】
このことにより、オーディオ信号出力装置において、マイクを必要とせず、また、演算処理に負担をかけることなく、聴取者が、各スピーカから出力された信号がリスニングポイントに到達する時間を同じにすることができる。この結果、リスニングポイントにおいて、最適な音響環境を実現することができる。
【図面の簡単な説明】
【００５０】
【図１】本発明の一実施形態のオーディオ信号出力装置の概略構成を示す図。
【図２】本実施形態における特定チャンネルのスピーカから出力されるテスト信号と測定チャンネルのスピーカから出力されるテスト信号を説明する図。
【図３】本実施形態におけるテスト信号と音圧レベルの関係を説明する図。
【図４】本実施形態における第１テスト信号と第２テスト信号とを説明する図。
【符号の説明】
【００５１】
１・・・遅延時間調整部、１ａ・・・第１調整器、１ｂ・・・第２調整器、１ｃ・・・第３調整器、２・・・出力部、２ａ・・・第１出力部、２ｂ・・・第２出力部、２ｃ・・・第３出力部、３・・・テスト信号発生部、３ａ・・・第１テスト信号発振器、３ｂ・・・第２テスト信号発振器、４・・・テスト信号切換部、５・・・位相反転部、６・・・第１信号切換部、７・・・第２信号切換部、８・・・操作部、９・・・制御部。
【図１】
2008092242.tif 000003
【図２】
2008092242.tif 000004
【図３】
2008092242.tif 000005
【図４】
2008092242.tif 000006